(57)【要約】 【課題】  ダンパの動作不良を招かずに、熱気や蒸気の洩れ防止を行う。【解決手段】  ケース２１の前面には吹出口２３が設けられ、その上縁部分に後方の斜め下方を向いた上縁板４４が形成される。ダンパ５０が閉鎖姿勢を取った場合の上縁には、前方の斜め上方を向いた屈曲部７０が形成される。屈曲部７０の先端は、上縁板４４の先端の上方に位置し、また両者の上下方向には、表面張力により水滴が留まらない程度の間隔Ｓが取られる。除霜運転時において、熱気や蒸気が天井部に立ち上ったのちダンパ５０の上縁に向けて降りて来た場合に、大部分は屈曲部７０に沿うようにして冷却ユニット２０内に戻され、吹出口２３からの洩れは最小限に留められる。屈曲部７０の先端と上縁板４４との間に間隔Ｓが確保されていることで水滴が溜まることがなく、よって予冷運転時に水滴が凍り付くことが防止される。【選択図】  図２
2006038394.tif 000002
【特許請求の範囲】
【請求項１】
一側面に吹出口が開口されたケース内には、冷却器と、この冷却器と熱交換して生成された冷気を前記吹出口から吹き出す送風機とが備えられるとともに、前記吹出口にはダンパが水平軸回りの回動可能に設けられ、冷却運転時には前記ダンパが冷気の風圧により横向きの開放姿勢を取り、前記冷却器を加熱手段により加熱する除霜運転時には、前記ダンパが自重により縦向きの閉鎖姿勢を取るようにした冷却ユニットにおいて、
前記ダンパにおける閉鎖姿勢を取った場合の上縁には、閉鎖姿勢を取った場合に吹出方向の前方に突出する屈曲部が形成され、かつこの屈曲部の先端は、前記吹出口の上縁よりも高い位置で、この吹出口の上縁から内側に一定以上の間隔を有して配される設定となっていることを特徴とする冷却ユニット。
【発明の詳細な説明】
【技術分野】
【０００１】
本発明は、冷却貯蔵庫に装備される冷却ユニットに関する。
【背景技術】
【０００２】
例えばプレハブ式の冷却貯蔵庫等では、庫内を冷却するために冷却ユニットが備えられている（例えば、特許文献１参照）。  
この冷却ユニットは庫内の天井部に設置され、例えば図１０に示すように、前面に吹出口２が開口されたケース１内に、冷却ファン３と冷却器４とが前後に並んで収容され、冷却器４は庫外に設置された冷凍装置（室外機）と冷媒配管により循環接続されるとともに、吹出口２には、水平軸６回りに回転可能なダンパ５が例えば上下二段に装備されている。  
そして冷却運転時には、冷凍装置ともども冷却ファン３が駆動され、庫内空気が後面側から吸引されて冷却器４を通過する間に熱交換によって冷気が生成され、この冷気が前方に吹き出されて、その風圧で同図の鎖線に示すようにダンパ５が横向きに開放されつつ、冷気が庫内に循環供給されて庫内が冷却されるようになっている。
【０００３】
一方、冷却運転の途中で適宜に除霜運転が行われ、このときは冷凍装置とともに冷却ファン３が停止されることで、ダンパ５は同図の実線に示すように自重によって縦向きに閉じ、係る状態で冷却器４に装備されたヒータ（図示せず）に通電されて冷却器４が加熱されることにより着霜が次第に融かされ、除霜水はドレンパン７で受けられたのち庫外の排水場所に排水されるようになっている。  
ここでダンパ５の目的は、除霜運転時に吹出口２を閉じることで、熱気と蒸気との洩れを抑制するところにある。熱気が多量に庫内に洩れると、庫内温度が上昇して貯蔵物の冷却温度帯から外れ、貯蔵物の品質の劣化を招くことに繋がる。また蒸気が多量に洩れると、冷却状態にある庫内の天面や側面の上部等に霜となって付着し、引き続く冷却運転により氷粒ができる。そして次の除霜運転の際に洩れた熱気や蒸気が再び天面等に当たると、氷粒が融けて庫内に水滴となって滴下し、それが貯蔵物に降り懸かることで同様に品質の劣化を招くためである。
【特許文献１】特開平１１−２５７８２６号公報
【発明の開示】
【発明が解決しようとする課題】
【０００４】
しかるに従来では、図１１（Ａ）に示すように、特にダンパ５の上縁と吹出口２の上縁との間には、後述する理由によって一定以上の隙間を設ける必要があるために、同図の矢線に示すように、この隙間から少なからず熱気や蒸気が洩れるという問題があった。  
例えば同図（Ｂ）に示すように、ダンパ５の上縁が吹出口２の上縁に隙間無く当たっていると、ケース１の天井面等からの水滴ｗが溜まり、当たっていないまでも隙間が狭いと、表面張力により同様に水滴ｗが溜まる可能性がある。一方この種の冷蔵庫では、除霜運転が完了したのち、直ちに冷凍装置ともども冷却ファン３を駆動すると、未だ高温状態にある冷却器４の暖気が庫内に供給することになるため、まず冷凍装置のみを運転して冷却器４の温度低下を図る、いわゆる予冷運転を行い、遅延後に冷却ファン３を運転するようになっているため、予冷運転中に溜まった水滴ｗが凍り付き、ダンパ５の開放不良を招くおそれがあるためである。  
本発明は上記のような事情に基づいて完成されたものであって、その目的は、ダンパの動作不良を招くことなく、熱気や蒸気の洩れ防止をより確実に行うところにある。
【課題を解決するための手段】
【０００５】
上記の目的を達成するための手段として、請求項１の発明は、側面に吹出口が開口されたケース内には、冷却器と、この冷却器と熱交換して生成された冷気を前記吹出口から吹き出す送風機とが備えられるとともに、前記吹出口にはダンパが水平軸回りの回動可能に設けられ、冷却運転時には前記ダンパが冷気の風圧により横向きの開放姿勢を取り、前記冷却器を加熱手段により加熱する除霜運転時には、前記ダンパが自重により縦向きの閉鎖姿勢を取るようにした冷却ユニットにおいて、前記ダンパにおける閉鎖姿勢を取った場合の上縁には、閉鎖姿勢を取った場合に吹出方向の前方に突出する屈曲部が形成され、かつこの屈曲部の先端は、前記吹出口の上縁よりも高い位置で、この吹出口の上縁から内側に一定以上の間隔を有して配される設定となっている構成としたところに特徴を有する。
【発明の効果】
【０００６】
＜請求項１の発明＞
ダンパの上縁には、閉鎖姿勢を取った場合に吹出方向の前方に突出する屈曲部が形成され、かつこの屈曲部の先端が吹出口の上縁よりも高い位置に配されるようにしたから、除霜運転時において、ダンパの上縁に向けて降りてきた熱気や蒸気は、その大部分が屈曲部に沿うようにしてケース内に戻され、ダンパの上縁と吹出口の上縁との間から熱気や蒸気が洩れることが大幅に抑制される。その結果、庫内温度の上昇や、庫内に天井面から水滴が滴下することが防止され、貯蔵物を高品質に維持することができる。  
しかも屈曲部の先端は、吹出口の上縁から内側に一定以上の間隔を有して配されているから、表面張力が作用してもなお水滴が溜まることが防止される。その結果予冷運転の際に水滴が凍り付くことが未然に防止され、ダンパの開放動作がスムーズにかつ確実に行われる。
【発明を実施するための最良の形態】
【０００７】
＜実施形態＞
以下、本発明の一実施形態を図１ないし図９に基づいて説明する。  
図１において、符号１０はプレハブ式の冷却貯蔵庫の本体であって、複数枚の断熱パネルを組み付けることで箱形に形成されており、その内部が貯蔵室１１とされて、前面の扉１２を開閉しつつ出入りできるようになっている。  
貯蔵室１１の天井部には、例えば正面から見た右側に寄った位置に冷却ユニット２０が装備されている。この冷却ユニット２０は、扁平な箱形をなすケース２１を備えており、後面側（同図の右側）に庫内空気の吸込口２２が設けられているとともに、前面側に冷気の吹出口２３が設けられている。
【０００８】
ケース２１内における吹出口２３の後方には、図２に示すように、複数の冷却ファン２５が横方向に並んで設けられている。冷却ファン２５はモータ２６で駆動され、ファン２７はケース２１内に形成されたシュラウド２８内に収められている。  
ケース２１内の冷却ファン２５の後方位置には、冷却器３０が収容されている。一方、庫外には、圧縮機、空冷式の凝縮器等からなる冷凍装置１５（室外機）が設置されており、この冷凍装置１５と冷却ユニット２０内の冷却器３０とが、冷媒配管１６によって循環接続されている。  
冷却器３０には、除霜用のヒータ３１が装備されている。また、冷却器３０の下面側にはドレンパン３２が配設され、冷却器３０等からの除霜水を受けるようになっており、その除霜水は、ドレンパン３２から庫外に引き出されたドレン管３３により、適宜の排水溝に排水されるようになっている。
【０００９】
ケース２１の吹出口２３には、ダンパ５０が上下２段にわたって設けられている。ケース２１における前側部分には、吹出口構成体４０が設けられている。この吹出口構成体４０は、図２及び図４に示すように、中空状の左右の側壁４１と、上面板４２と、下面板４５とを組み付けて形成されている。上面板４２は水平姿勢を取り、その前縁における両側壁４１の間の領域が下方に直角曲げされたのち、後方の斜め下方に屈曲されている。下面板４５は、前上がりの斜め姿勢を取り、同じく前縁における両側壁４１の間の領域が上方に直角曲げされたのち、後方の斜め下方に折り返されている。
【００１０】
上記した上面板４２における垂下部４３の下縁部と、下面板４５の立ち上がり部４６の上縁部と、左右の側壁４１とで囲まれた領域が、吹出口２３となっている。そして、上面板４２における後方の斜め下方に傾斜した上縁板４４の先端が、本願に言う吹出口２３の上縁であり、下面板４５における後方の斜め下方に傾斜した下縁板４７の先端が、本願に言う吹出口２３の下縁となる。上縁板４４と下縁板４７の傾斜角は、３０度程度である。これにより吹出口２３の全体として吹出方向が、前方の斜め上方を指向している。
【００１１】
ダンパ５０は、図６に示すように、本体羽根５１と、バランス羽根５７とから構成されている。本体羽根５１は薄肉の金属板製であって、所定の幅と、上記した吹出口２３の間口寸法にほぼ匹敵する長さとを有した横長状に形成されている。本体羽根５１は、幅方向の一端側、すなわち後記するように閉鎖姿勢である縦向きの姿勢を取った場合の下端側の幅狭部５３が鈍角に屈曲され、断面く字形に形成されている。本体羽根５１の左右の側縁には、フランジ５４が裏面側に直角曲げされて形成され、フランジ５４の上端寄りの位置には、逃がし溝５５が切り欠き形成されている。
【００１２】
バランス羽根５７は、本体羽根５１が全開姿勢を取ることを担保するためのウェイトの機能を果たすものであり、本体羽根５１の３倍程度の板厚の金属板製であって、本体羽根５１に比べて幅が狭く、例えば本体羽根５１の幅広部５２の半分強程度であり、長さは若干短い程度となっている。バランス羽根５７の左右両端には、軸受板５８が裏側に直角曲げされて形成され、両軸受板５８には、幅方向の中央部よりも少し下方に寄った位置に、軸受孔５９が開口されている。  
またバランス羽根５７の上縁から、風当板６０が鋭角で折り返されて形成されている。
【００１３】
このバランス羽根５７が、上縁同士を合わせ、かつ軸受板５８をフランジ５４の内側に嵌めつつ本体羽根５１の裏面に当てられ、複数箇所をリベット６１で止めることで、図７に示すように一体に固定されている。このとき軸受孔５９は逃がし溝５５と整合し、例えば図２に示すように、軸受孔５９は、本体羽根５１の幅広部５２における幅方向の中央部よりも少し上方に寄った位置に位置している。
【００１４】
上下のダンパ５０は、左右両端部を吹出口２３の左右の側壁４１に対して軸支することで、水平軸回りに回動可能となっている。軸支位置は、図２に示すように、左右の側壁４１における前縁から、その奥行寸法の１／４強の寸法入り込んだ位置において、上下２箇所に設定されている。この軸支位置の設定は、後記するようにダンパ５０が閉鎖姿勢を取った場合に、吹出口２３の開口縁にできるだけ近い箇所でその中に収まるようにし、もって除霜時に熱気や蒸気が庫内に洩れるのを極力防ぐことを意図している。  
軸支構造は、図５に示すように、左右の側壁４１の内面に軸６２が水平姿勢で対向して立てられて、裏面側からねじ６３で固定され、外側の端部に抜け止め用のフランジ６４Ａが形成されたカラー６４が嵌装されて、このカラー６４が軸受孔５９内に嵌装されている。また、カラー６４のフランジ６４Ａは、本体羽根５１の左右のフランジ５４と、ケース２１側の側壁４１との間に挟まれることにより、両者間を良く滑らせてダンパ５０がスムーズに回動できるように機能する。実際の組み付けでは、図７に示すように、ダンパ５０の両軸受板５８の軸受孔５９に、カラー６４を外嵌した軸６２を嵌合し、両側壁４１の間に嵌めたのち、軸６２をねじ６３で止めるようにしてもよい。なお、カラー６４の内外周部分には、耐寒性のグリスを塗って、潤滑性の向上や凍り付きの防止を図るようにするとよい。  
一方、左右の側壁４１における両軸６２の取付位置から、それぞれ後方の斜め下方に所定寸法離間した位置には、軸受板５８の後縁に当接可能なストッパ６６が立てられている。
【００１５】
ダンパ５０は自然状態では、自重によって軸６２を中心として図２の反時計回り方向に回動し、軸受板５８の後縁の下部位置がストッパ６６に当たることで同方向の回動が規制され、全体としてほぼ縦向きとなった閉鎖姿勢を取る。このとき、本体羽根５１の屈曲部分が吹出口２３のほぼ前縁に位置している。また、上側のダンパ５０の上縁は、吹出口２３の上縁板４４の先端と上下方向に若干ラップしつつ、裏側に所定寸法離間している。下側のダンパ５０の上縁は、上側のダンパ５０の下縁と上下方向に若干ラップしつつ、同様に裏側に所定寸法離間している。
【００１６】
また、後記するように冷却ファン２５が駆動して冷気が吹き出されると、冷気の風圧を受けて、図２の閉鎖状態から、ダンパ５０は軸６２を中心として同図の時計回り方向に回動する。そして図３に示すように、軸受板５８の後縁の相対的な上部位置がストッパ６６に当たることで同方向の回動が規制され、全体としてほぼ横向きとなった開放姿勢を取る。詳細には、若干の先下がりの姿勢を取り、本体羽根５１の下部側の半分弱が吹出口２３の前縁から突出した状態となる。
【００１７】
さて、ダンパ５０における本体羽根５１の上縁からは、図２に示すように、前方を向いて直角曲げされた屈曲部７０が形成されている。この屈曲部７０は、吹出口２３の上縁板４４の１／３強の幅で、全長にわたって形成されている。  
ダンパ５０が閉鎖姿勢を取った場合、屈曲部７０は上縁板４４よりも緩い傾斜の斜め上向きの姿勢をなす。上側のダンパ５０における屈曲部７０の先端は、吹出口２３の上縁板４４の先端の上方に位置する。上下方向における屈曲部７０の先端と上縁板４４の先端との間には、図８に詳細に示すように、上縁板４４の先端と本体羽根５１との間隔に匹敵する間隔Ｓが取られ、言い換えると表面張力により水滴が留まらない程度の間隔Ｓが取られている。  
また、下側のダンパ５０における屈曲部７０の先端は、上側のダンパ５０における本体羽根５１に形成されたフランジ５４の下部側の角部に接触するかまたは極めて接近する設定となっている。なお、フランジ５４の角部と実際に対応する屈曲部７０の両端部には、切り欠きを形成しておくと、水滴が溜まる可能性が無く、したがって凍り付きが生じるのも避けられる。
【００１８】
続いて、本実施形態の作用について説明する。  
冷却運転は、冷凍装置１５並びに冷却ファン２５が駆動されることで行われる。この場合、庫内空気が冷却ユニット２０の後面側の吸込口２２から吸引され、冷却器３０を通過する間に熱交換によって冷気が生成され、この冷気が前方に吹き出される。この冷気の風圧を受けて、吹出口２３に配されたダンパ５０は、図３に示すように横向きの開放姿勢を取り、冷気は吹出口２３から上縁板４４と下縁板４７との傾斜に倣うようにして、図１における庫内の左側の天井面を指向して吹き出され、庫内に循環供給されて庫内が冷却される。ここで、ダンパ５０のバランス羽根５７には鋭角に曲げられた風当板６０が形成されているから、吹き出された冷気が風当板６０に当たったのちそれに沿って斜め下方に流れ、ダンパ５０に対して本体羽根５１の幅狭部５２側を押し上げるような、すなわち図３の時計回り方向の回動力が助勢され、したがってダンパ５０が全開姿勢を取りやすくなる。  
またこの間、庫内温度が庫内サーミスタ（図示せず）で検知されており、検知温度が、操作盤１８（図１）の操作によって予め定められた設定温度よりも高いか低いかによって、冷凍装置１５と冷却ファン２５の駆動と停止とが制御され、庫内がほぼ設定温度に維持される。
【００１９】
一方、２４時間タイマにより、あるいは操作盤１８からの手動操作によって、適宜に除霜運転が行われる。除霜運転は、冷凍装置１５と冷却ファン２５とが停止された状態で、冷却器３０に装備されたヒータ３１に通電して発熱させることにより行われる。これにより、冷却器３０等に付着した霜が次第に融かされ、除霜水はドレンパン３２で受けられたのち、ドレン管３３を通って排水溝に排水される。  
この間、冷却器３０の温度が除霜サーミスタによって検知され、冷却器３０が所定温度まで上昇したことが検知されたら、除霜が完了したと見なされてヒータ３１への通電が遮断される。続いて、所定の水切り時間を経て、冷凍装置１５のみを運転して冷却器３０を先に冷却する予冷運転が行われ、そののち冷却ファン２５が駆動されて冷却運転が再開される。
【００２０】
さて、上記した除霜運転の間、冷却ファン２５が停止することで、ダンパ５０は、図２に示すように縦向きの閉鎖姿勢を取り、吹出口２３を閉鎖するように機能する。それでも、冷却ユニット２０内で生じた熱気や蒸気は、主に天井側に上昇したのち吹出口２３から庫内に流出しようする。  
ここで、図８に示すように、上側のダンパ５０の上縁には、前方の斜め上方を向いた屈曲部７０が設けられ、屈曲部７０の先端が、吹出口２３に設けられた上縁板４４の先端の上方位置に、所定間隔Ｓを開けて突出しているから、天井部に立ち上って吹出口２３側に向かった熱気や蒸気が、上面板４２の垂下部４３の裏面に当たる等で降りて来た場合に、同図の矢線に示すように、一部は、上縁板４４とダンパ５０との隙間から庫内に洩れるかも知れないが、大部分は、ダンパ５０に設けられた屈曲部７０に沿うようにして冷却ユニット２０内に戻される。
【００２１】
また、天井側ほどではないとしても、上下のダンパ５０の間からも、熱気と蒸気とが庫内側に流出しようとする。しかしながら、図９に示すように、下側のダンパ５０の上縁に斜め上方を向いて設けられた屈曲部７０の先端が、上側のダンパ５０に設けられたフランジ５４の下角部に接触するかまたは極めて接近して配されているから、熱気と蒸気とが上側のダンパ５０の裏側を下った場合に、同図の矢線に示すように、一部は、上側のダンパ５０の下縁と、下側のダンパ５０の屈曲部７０との間の隙間から庫内に洩れるかも知れないが、大部分は、同屈曲部７０に沿うようにして冷却ユニット２０内に戻される。
【００２２】
以上により、除霜運転時において、熱気や蒸気が吹出口２３から洩れることが大幅に抑制される。熱気の洩れが少なくなれば、庫内温度の上昇が抑制され、貯蔵物の品質の劣化を招くことが防止される。また蒸気の洩れが少なくなれば、それだけ庫内の天面や側面の上部等への着霜が少なくなる。そのため引き続く冷却運転により氷粒ができ、これが次の除霜運転で洩れた熱気や蒸気により融けることで、水滴となって貯蔵物に降り懸かることが防止され、同じく貯蔵物の品質の劣化を招くことが防止される。
【００２３】
一方、上側のダンパ５０の屈曲部７０の先端と、吹出口２３の上縁板４４との間には所定の間隔Ｓが確保されているから、例えばケース２１の天井面等からの水滴がそのまま溜まることはもちろんのこと、表面張力の作用を受けて溜まることもない。そのため、除霜運転終了後に冷凍装置１５のみを駆動して冷却器３０を先に冷却する予冷運転を行った場合に、溜まった水滴が凍り付くことに起因してダンパ５０の開放不良を招くおそれがない。
【００２４】
以上説明したように本実施形態によれば、ダンパ５０の閉鎖姿勢を取った場合の上縁に、吹出方向の前方における斜め上方を向いて突出する屈曲部７０を形成し、上側のダンパ５０では、屈曲部７０の先端を吹出口２３の上縁板４４の先端よりも高い位置に配し、また下側のダンパ５０では、上側のダンパ５０の下縁よりも高い位置に配したから、除霜運転時に各ダンパ５０の上縁に向けて降りてきた熱気や蒸気の大部分が、屈曲部７０に沿うようにしてケース２１内に戻され、もって上側のダンパ５０の上縁と吹出口２３の上縁板４４との間、さらには下側のダンパ５０の上縁と上側のダンパ５０の下縁との間から熱気や蒸気が洩れることが大幅に抑制される。その結果、庫内温度の上昇や、庫内に天井面から水滴が滴下することが防止され、貯蔵物を高品質に維持することができる。  
また、特に上側のダンパ５０の屈曲部７０の先端と、吹出口２３の上縁板４４との間には一定以上の間隔Ｓが確保されているから、表面張力が作用してもなお水滴が溜まることが防止される。その結果予冷運転の際に水滴が凍り付くことが未然に防止され、ダンパ５０の開放動作がスムーズにかつ確実に行われる。
【００２５】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。  
（１）ダンパの上縁に設けられる屈曲部の曲げ角度は、上記実施形態に例示した９０度に限らず、例えば上縁板の傾斜角度や、ダンパ自身の閉鎖姿勢の条件等に応じて適宜に変更されるものであって、屈曲部の先端が、上縁板の先端の上方に一定以上の間隔を開けて位置していればよい。  
（２）ダンパは、上記実施形態に例示した上下二段に限らず、一段でもよく、また三段以上に分かれて配されていてもよい。
【００２６】
（３）吹出口の上縁部は、上記実施形態に例示した上縁板は備えず、垂下部だけの真直な形状であってもよく、そのようなものも本発明に含まれる。その場合は、垂下部の下縁が吹出口の上縁となるため、ダンパの上縁に形成された屈曲部の先端は、垂下部の下縁よりも高い位置で、かつ垂下部の裏側に一定寸法以上離間している必要がある。  
（４）また屈曲部は、斜め上方を向いた姿勢が望ましいが、熱気や蒸気をケース内に戻すように案内できる限り、水平姿勢であったり、若干下向きの姿勢であってもよい。  
（５）除霜時の冷却器の加熱手段には、ホットガスを用いてもよい。
【図面の簡単な説明】
【００２７】
【図１】本発明の一実施形態に係るプレハブ式冷却貯蔵庫の設置構造を示す一部切欠正面図
【図２】ダンパが閉鎖姿勢を取っている場合の吹出口付近の側断面図
【図３】ダンパが開放姿勢を取っている場合の吹出口付近の側断面図
【図４】その平断面図
【図５】ダンパの軸支構造を示す平断面図
【図６】ダンパの分解斜視図
【図７】ダンパの斜視図
【図８】図２のＸ部の拡大図
【図９】図２のＹ部の拡大図
【図１０】従来例の冷却ユニット内の構造を示す概略断面図
【図１１】従来例の作動を説明する断面図
【符号の説明】
【００２８】
２０…冷却ユニット  ２１…ケース  ２３…吹出口  ２５…冷却ファン（送風機）  ３０…冷却器  ３１…ヒータ（加熱手段）  ４４…上縁板  ５０…ダンパ  ５１…本体羽根  ６２…軸（水平軸）  ７０…屈曲部
【図１】
2006038394.tif 000003
【図２】
2006038394.tif 000004
【図３】
2006038394.tif 000005
【図４】
2006038394.tif 000006
【図５】
2006038394.tif 000007
【図６】
2006038394.tif 000008
【図７】
2006038394.tif 000009
【図８】
2006038394.tif 000010
【図９】
2006038394.tif 000011
【図１０】
2006038394.tif 000012
【図１１】
2006038394.tif 000013